(57)【要約】【課題】遊技盤の取付作業が簡単に行なえその作業性が良く、また、取着具を固着するのみで済み、制作上の手間が省かれ、製作コストも低廉になし得る遊技機を提供する。【解決手段】取着具１５が、遊技盤固定領域５に固着される支持部材１７とこれに軸着される固定部材１８とからなり、支持部材１７には固定部材１８の軸着部２８に達する軸杆２２を配設し、軸杆２２に弾発手段２５により常に軸着部２８の外周縁に圧接される平板部材２４を外嵌し、固定部材１８は軸着部２８から延びる押圧板部２９と作用板部３０とを有し、軸着部２８の外周縁に、押圧板部２９側の一端が外側へ膨出する弧状に湾曲すると共に平板部材２４を圧接させることにより押圧板部２９が遊技盤固定領域５の取付面に配置される遊技盤４を押圧する直線縁面３１ｂを形成した。【選択図】図５
2010099310.tif 000002
【特許請求の範囲】
【請求項１】
遊技機本体に遊技盤を配置固定する遊技盤固定領域が形成され、前記遊技盤固定領域の側縁部に前記遊技盤を固定する取着具が設けられた遊技機であって、
前記取着具は、前記遊技盤固定領域の取付面に固着される支持部材と該支持部材に取着され回動自在に軸着される固定部材とからなり、
前記支持部材には先端が前記固定部材の軸着部に達する軸杆を配設し、前記軸杆に弾発手段により常に前記固定部材の軸着部の外周縁に圧接される平板部材を外嵌し、
前記固定部材は前記軸着部から一方へ延設される押圧板部と該軸着部から他方へ延設される作用板部とを有し、
前記固定部材における軸着部の外周縁に、前記押圧板部側の一端が外側へ膨出する弧状に湾曲すると共に前記平板部材を圧接させることにより前記押圧板部が前記遊技盤固定領域の取付面に配置される前記遊技盤を押圧する直線縁面を形成したことを特徴とする遊技機。
【請求項２】
前記軸杆の外周面に前記平板部材の近傍に位置させて複数の環状溝を刻設してなる請求項１記載の遊技機。
【発明の詳細な説明】
【技術分野】
【０００１】
本発明は、遊技盤を遊技機本体の遊技盤固定領域に着脱自在に装着するようにした遊技機に関するものである。
【背景技術】
【０００２】
従来、遊技機の一種であるパチンコ遊技機にあっては、遊技盤の取り付け・取り外しが楽に行なえることから該遊技盤を遊技機本体の前面にその前側から着脱自在に装着するようにしたものがある。更に詳しく説明すると、この種パチンコ遊技機は、遊技機本体の前面に遊技盤固定領域が形成され、該遊技盤固定領域の一側に遊技盤の一側を挿入する挟着部が形成されると共に該遊技盤固定領域の他側に取着具が設けられている。該取着具としてはロックピンが用意される。また、同じ側の遊技盤面に嵌合部が装着され、これに対応位置して前記遊技盤固定領域にロック用の孔が開設されている。
【０００３】
そして、前記遊技盤固定領域における一側の狭着部に遊技盤の一側を挿入すると共に遊技盤の他側を遊技盤固定領域側へ押し付け、更に遊技盤の側縁部を手で支えた状態で前記遊技盤の嵌合部に前側からコイルバネと共にロックピンを挿通すると共にその先端部を遊技盤固定領域に開設されたロック用の孔に挿入する。さらに、該ロックピンを所定方向へ回動させてロックすることにより、遊技盤を固定するようにしている（例えば、特許文献１参照。）。
【０００４】
【特許文献１】特開平８−１９６４７号公報（第３−４頁、図１、図２）
【発明の開示】
【発明が解決しようとする課題】
【０００５】
しかしながら、前記特許文献１のパチンコ遊技機にあっては、遊技盤固定領域に遊技盤を配置し、遊技盤の一側を遊技盤固定領域の挟着部に挿入すると共に遊技盤の側縁部を手で支えた状態で、取着具であるロックピンを嵌合孔へ差し込みロックして遊技盤を固定することになる。このように、遊技盤を固定するに該遊技盤を手で支えてなくてはならず、しかも、ロックピンを嵌合孔へ挿入してロックするといった面倒な手間が必要になり、遊技盤の取付作業としては未だ余分な作業を強いられるという感が残る。また、ロックピンを挿通するために遊技盤面に嵌合部を設けたり、遊技盤固定領域にロック用の孔を開設するといった余分な作業を強いられ、制作上の手間が多く掛かるばかりか、これに伴い製作コストも高くなるといった課題が有る。
【０００６】
そこで、本発明は、上記課題を解決すべくなされたもので、遊技盤の取付作業がワンタッチ式に簡単に行なえその作業性が良く、また、取着具を遊技盤固定領域に固着するのみで済み、制作上の手間を極力省くことができ、製作コストも低廉になし得る遊技機を提供することを目的とするものである。
【課題を解決するための手段】
【０００７】
かかる目的を達成するため本発明の遊技機は、遊技機本体に遊技盤を配置固定する遊技盤固定領域が形成され、前記遊技盤固定領域の側縁部に前記遊技盤を固定する取着具が設けられた遊技機であって、前記取着具は、前記遊技盤固定領域の取付面に固着される支持部材と該支持部材に取着され回動自在に軸着される固定部材とからなり、前記支持部材には先端が前記固定部材の軸着部に達する軸杆を配設し、前記軸杆に弾発手段により常に前記固定部材の軸着部の外周縁に圧接される平板部材を外嵌し、前記固定部材は前記軸着部から一方へ延設される押圧板部と該軸着部から他方へ延設される作用板部とを有し、前記固定部材における軸着部の外周縁に、前記押圧板部側の一端が外側へ膨出する弧状に湾曲すると共に前記平板部材を圧接させることにより前記押圧板部が前記遊技盤固定領域の取付面に配置される前記遊技盤を押圧する直線縁面を形成したことを特徴とする。また、この際、前記軸杆の外周面に前記平板部材の近傍に位置させて複数の環状溝を刻設することが好ましい。
【０００８】
遊技機本体の前面にその前側から遊技盤を配置固定する遊技盤固定領域が形成され、前記遊技盤固定領域の一側に前記遊技盤の一側を挿入する狭着部が設けられると共に該遊技盤固定領域の他側に該遊技盤の他側を固定する取着具が設けられた遊技機にあっては、前記取着具は、前記遊技盤固定領域の取付面に固着される支持部材と該支持部材に取着され回動自在に軸着される固定部材とからなり、前記支持部材には先端が前記固定部材の軸着部に達する軸杆を配設し、前記軸杆に弾発手段により常に前記固定部材の軸着部の外周縁に圧接される平板部材を外嵌し、前記固定部材は前記軸着部から一方へ延設される押圧板部と該軸着部から他方へ延設される作用板部とを有し、前記固定部材における軸着部の外周縁に、前記平板部材を圧接させることにより前記押圧板部が前記遊技盤固定領域の前方へ突出しかつ前記作用板部が該遊技盤固定領域の中央部側へ突出して前記遊技盤と干渉する状態となる弧状縁面と、前記弧状縁面と連なり前記平板部材を圧接させることにより前記押圧板部が前記遊技盤固定領域の取付面に配置される前記遊技盤の前面を押圧する直線縁面と、を形成したことを特徴とする。
【発明の効果】
【０００９】
本発明に係る遊技機は、取着具が、遊技盤固定領域の取付面に固着される支持部材と該支持部材に取着され回動自在に軸着される固定部材とからなり、該支持部材には先端が固定部材の軸着部に達する軸杆を配設し、該軸杆に弾発手段により常に固定部材の軸着部の外周縁に圧接される平板部材を外嵌し、固定部材は軸着部から一方へ延設される押圧板部と該軸着部から他方へ延設される作用板部とを有し、固定部材における軸着部の外周縁に、押圧板部側の一端が外側へ膨出する弧状に湾曲すると共に平板部材を圧接させることにより押圧板部が前記遊技盤固定領域の取付面に配置される遊技盤を押圧する直線縁面を形成してなる。よって、遊技機本体の遊技盤固定領域に遊技盤を配置し、該遊技盤の側縁部をそのまま遊技盤固定領域の前面に押し付けることにより、一方の作用板部が押されつつ固定部材が回動し他方の押圧板部が遊技盤を押圧する。しかも、この押圧状態では、軸杆に外嵌した平板部材が固定部材の軸着部の外周縁における直線縁部を押圧して固定部材を保持することになる。これにより、遊技盤の取付作業がワンタッチ式に簡単に行なえその作業性が良く、また、取着具を遊技盤固定領域に固着するのみでその取付が完了し、制作上の手間を極力省くことができ、製作コストも低廉になし得るという効果がある。
【００１０】
また、軸杆の外周面に前記平板部材の近傍に位置させて複数の環状溝を刻設するようにすれば、固定部材が回動動作することにより弾発手段に抗して平板部材に力が加えられ、平板部材が該軸杆に対して傾斜した状態で該軸杆に沿って無用にずれる危険性があるとしても、平板部材に開設され軸杆が挿通される軸孔の周縁角部が前記環状溝に係合してそのずれ動作を邪魔する。よって、平板部材が軸杆に沿って無用にずれることが防止される。仮に、平板部材が軸杆に沿ってずれると、固定部材が勝手に回動して遊技盤が緩みガタツキが生じ固定し難くなるからである。
【発明を実施するための最良の形態】
【００１１】
以下、本発明に係る遊技機の実施の形態を図面に基づき詳しく説明する。本発明は、パチンコ遊技機、アレンジボール機、雀球機、パチスロ機等の遊技機に適用されるが、この内、本発明はパチンコ遊技機に適用される場合について説明する。
【００１２】
図１は本発明に係るパチンコ遊技機であって透明板保持枠を開いた状態の斜視図、図２は同遊技盤を外した状態の斜視図である。パチンコ遊技機Ｐは縦長長方形状の機枠１を有し、該機枠１の前側に本体枠２を開閉自在に装着して遊技機本体３が形成される。該遊技機本体３すなわち本体枠２の前面に、遊技盤固定領域５として遊技盤４を前側から嵌め込んで固定する凹窪部が形成される。遊技盤固定領域５は周囲を残して後面が開放しており、遊技盤４の後面に装着され該後面から後方へ突出する盤面部品や制御基板ボックスが干渉しないようになっている。遊技盤４の前面には、渦巻き状に敷設された内側・外側ガイドレール６ａ，６ｂにより囲われるようにして遊技部４ａが形成される。
【００１３】
図示は省略するが、前記遊技部４ａには、例えばその中央に文字、数字等の図柄を変動表示する変動表示装置が配設される。また、その下方に遊技部４ａに打ち込まれた遊技球が入賞することにより変動表示装置に表示される図柄を変動させる始動入賞口が配置され、更に、その下方に一度に多くの入賞球を発生する大型の入賞装置が配置される。遊技部４ａの中央下縁に、遊技部４ａに打ち込まれた遊技球であっていずれの入賞口にも入賞しなかった遊技球をアウト球として遊技盤４の裏側へ排出するアウト球口７が設けられている。遊技盤４の一側、すなわち遊技盤固定領域５に遊技盤４を配置し該遊技盤４を前側から見たときの右側、の両端角部はいずれも切り欠かれて凹部８ａ，８ｂが設けられている。これは、後記する遊技盤４の取着具１５が介入するためである。
【００１４】
前記遊技機本体３の本体枠２の一側に、遊技盤４の前面を覆う透明板保持枠９が軸着される。該透明板保持枠９は、額縁状に形成されると共に該透明板保持枠９にはガラス板または合成樹脂板からなる透明板１０が装着される。また、透明板保持枠９の下方に打球発射位置（図示せず。）に供給する遊技球を貯留する球受皿１１が装着され、その一側に遊技部４ａに打ち込まれる遊技球の打球力を調整するための打球力調整ハンドル１２が装着されている。
【００１５】
次に、遊技盤固定領域５について説明する。図３に示すように遊技盤固定領域５の凹窪部内の横幅は、嵌合して取り付けられる遊技盤４が前側から見て左右方向にはずれない幅を有し、凹窪部内の取付面である下部底面に遊技盤４の下端面４ｂを載せる水平な載置台１３が設けられる。また、凹窪部内の一側、すなわちパチンコ遊技機Ｐを正面から見て左側、に上下に位置して遊技盤４の一側を挿入するための挟着片１４，１４が設けられている。詳しくは、本体枠２の側縁すなわち遊技盤固定領域５における取付面である側縁部２ａの前面と挟着片１４の後面との間の間隔が挟着部１４ａとなり、遊技盤４の厚み寸法とほぼ一致する。一方、反対側すなわち右側の取付面である側縁部２ａの前面に、同じく上下に位置して遊技盤４の他側を固定する取着具１５，１５が設けられている。
【００１６】
前記取着具１５は、金属製からなり、前記遊技盤固定領域５の一側上下部にそれぞれ対称的に配置固定される。そこで、両取着具１５は同じ構成であるので、下に位置する取着具１５について説明する。図４（イ）（ロ）に示すように該取着具１５は、遊技盤固定領域５の側縁部２ａの前面にビス１６止めして固着される支持部材１７と該支持部材１７に取着される固定部材１８とからなる。支持部材１７は、側縁部２ａの前面に当接する一対の取付板１９，１９を有し、両取付板１９，１９の対向する側縁に直角に折れ曲がりかつ平行に配置される側片２０ａ，２０ａが設けられる。また、両側片２０ａ，２０ａは、その間に配置される連結片２０ｂにより連接される。これにより、支持部材１７を前記側縁部２ａの前面に取り付けたとき、両側片２０ａ，２０ａの前面と上面が開放されることになる。両側片２０ａ，２０ａにおける開放側の前側角部間に水平な横軸２１が差し渡され、該横軸２１に前記固定部材１８がこの場合は鉛直面内、すなわち両側片２０ａ，２０ａと平行な面内、で自在に回動するように軸着される。
【００１７】
また、側片２０ａ，２０ａ間の連結片２０ｂの内側面に鉛直な軸杆２２が突設され、その先端部に前記横軸２１が串通されている。軸杆２２には、該軸杆２２を軸孔２３に挿通して平板部材２４が外嵌される。前記軸孔２３の内径は軸杆２２の外径より少し大きく、平板部材２４が軸杆２２に対して少し傾ける（例えば、軸杆２２に対して７５〜８０度）ことができるようになっている。しかも、平板部材２４の一側は、傾け易いようにＬ字状に屈曲させてある。更に、軸杆２２には、平板部材２４と連結片２０ｂとの間に位置して弾発手段としての圧縮スプリング２５が回装される。これにより、平板部材２４が、常に固定部材１８側へ付勢されることになる。
【００１８】
図４（ハ）に示すように前記軸杆２２における固定部材１８側の外周面に、平板部材２４の近傍に位置しかつ該平板部材２４の位置よりも連結片２０ｂ側へ所定の範囲に亘り複数の環状溝２６が刻設される。本実施の形態では、例えば、環状溝２６は断面Ｖ溝であって溝幅が０．５ｍｍ、溝間の寸法が３．０ｍｍに設定され、２本周設されている。これは、圧縮スプリング２５により付勢されている平板部材２４が固定部材１８の回動動作により軸杆２２に沿って押された場合、該平板部材２４が傾くことによりその軸孔２３の周縁角部２３ａがいずれかの環状溝２６に引っ掛かり、該平板部材２４の無用なずれを防止するためである。ちなみに、後記するように固定部材１８で遊技盤４を固定した場合、平板部材２４が軸杆２２に沿って自由にずれてしまうと、遊技盤４をしっかりと固定するという本来の機能が果たせなくなる可能性がある。
【００１９】
前記固定部材１８は、対向する同じ形状の側板１８ａ，１８ａと両側板１８ａ，１８ａ間に配置される中間板１８ｂとによりコ字型をなし、各側板１８ａの中央部に前記横軸２１が挿通される通孔２７を開設した略円形状の軸着部２８が設けられる。そして、該軸着部２８を挟んで一方へ押圧板部２９が一体に延設され、該軸着部２８から他方へ作用板部３０が一体に延設されている。これにより、固定部材１８が横軸２１を中心として鉛直面内で自在に回動するようになる。前記押圧板部２９と作用板部３０とのなす角は、鈍角であって約１２０度が好適である。また、この場合、作用板部３０が支持部材１７の取付板１９側に位置している。
【００２０】
前記固定部材１８における軸着部２８の外周縁には、弧状縁面３１ａと該弧状縁面３１ａと連なるようにして直線縁面３１ｂが形成される。よって、直線縁面３１ｂの押圧板部２９側の一端は外側へ膨出する弧状に湾曲すると共にこれに連続して弧状縁面３１ａが形成されることになる。この場合、横軸２１の中心から直線縁面３１ｂまでの距離よりも横軸２１の中心から前記一端の弧面及びこれと連なる弧状縁面３１ａまでの距離の方が長く設定されている。そこで、平板部材２４が弧状縁面３１ａに当接しているときは、押圧板部２９が回動し支持部材１７の取付板１９から遠ざかって該取付板１９とほぼ直交する位置にあり、作用板部３０が該取付板１９とほぼ平行となる位置にある。一方、平板部材２４が直線縁面３１ｂに当接すると、押圧板部２９が回動して支持部材１７に近づき取付板１９とほぼ平行な位置にあり、作用板部３０は該取付板１９とほぼ直交する位置にくるようになっている。
【００２１】
本発明にあっては、遊技盤４裏面の所定位置、この場合遊技盤４を前から見て右側の裏面に電気的な接続部として多数の配線（図示せず。）を接続したコネクター３２が設けられる。また、遊技盤固定領域５における取付面には、前記コネクター３２と対向位置して該コネクター３２と接続できるコネクター３３が取り付けられている。これら両コネクター３２，３３は、遊技盤４を遊技盤固定領域５に前側から押し込むことにより自動的に接続され、逆に、遊技盤４を前側へ押し出すとその接続が外されることになる。
【００２２】
前記取着具１５は、遊技盤固定領域５の取付面である側縁部２ａの前面の上下部にそれぞれ対称的に配置固定されるが、具体的には上下部の両取着具１５，１５が、支持部材１７の取付板１９を側縁部２ａの前面に当接してビス１６止めして固着される。この状態では、押圧板部２９よりも作用板部３０の方が側縁部２ａに近い側に位置している。
【００２３】
本発明に係るパチンコ遊技機Ｐは上記構成からなり、次に遊技盤４を遊技盤固定領域５に取り付けて固定する方法を説明する。この場合、上部の取着具１５も同様な動作をなす関係上、下部の取着具１５を主として説明する。まず、透明板保持枠３を開放した状態で、図５（イ）に示すように固定部材１８を前側へ回動させ、軸着部２８の弧状縁面３１ａが平板部材２４に当接した状態にする。これにより押圧板部２９が前側に回動してほぼ水平に位置し、かつ作用板部３０がほぼ鉛直に位置することになる。この際、平板部材２４の前側を少し上に持ち上げ該平板部材２４を軸杆２２に対し傾けると、固定部材１８が回動し易くなる。なお、このとき上部の取着具１５にあっては作用板部３０が下方へ垂下し、下部の取着具１５にあっては作用板部３０が上方へ起立する。この状態で、遊技盤固定領域５の前側に遊技部４ａが前側を向くようにして遊技盤４を配置し、下部の載置台１３の上面に遊技盤４の下端面４ｂを載せる。
【００２４】
そして、図３に示すように遊技盤４を横方向へずらせて、該遊技盤４の一側縁を遊技盤固定領域５の一側に設けられた挟着部１４ａに差し込む。次に、図５（ロ）に示すように遊技盤４の他側縁を遊技盤固定領域５の取付面側へ押し込む。この際、上下部の各取着具１５は遊技盤４の凹部８ａ，８ｂ内に位置することから、遊技盤４の動作に支障の生ずることはない。また、遊技盤４を押し込むことにより、遊技盤４の裏面下端部が作用板部３０と係合して該作用板部３０を後側へ押す。これに伴い、固定部材１８が後方へ回動して押圧板部２９が起立してくる。この間、平板部材２４が圧縮スプリング２５の付勢により固定部材１８における軸着部２８の弧状縁面３１ａに圧接しているので、固定部材１８は回動し易くしかもがたつくことなく滑らかに動作する。
【００２５】
図５（ハ）に示すように遊技盤４が遊技盤固定領域５の取付面に圧接され停止した状態では、平板部材２４が軸着部２８の直線縁面３１ｂに当接することになり、今度は押圧板部２９が遊技盤４の前面を後側へ押すことになる。これにより、遊技盤４がしっかりと固定される。この際、正確には、平板部材２４は軸着部２８の直線縁面３１ｂにぴったりと当接することはなく、後側に少し隙間が空く程度が良い。これにより、遊技盤４が遊技盤固定領域５に取り付けられた後も、押圧板部２９が平板部材２４に加勢され遊技盤４を後方へ押し続けるので、その押圧力が緩むことがない。逆に、圧縮スプリング２５の付勢に抗して平板部材２４が傾いて退こうとしても、平板部材２４の軸孔２３の周縁角部２３ａが、軸杆２２の外周面に刻設されたいずれかの環状溝２６に嵌りその後退動作を規制するので、平板部材２４がずれることがない。よって、遊技盤４の緩みやガタツキが防止される。また、同時に前記遊技盤４側のコネクター３２と遊技機本体３側である遊技盤固定領域５側のコネクター３３とが合致して接続される。これにより、遊技盤４面に装着され電飾された各盤面部品が、カラフルな色で点灯または点滅して遊技の興趣を盛り上げる。このように、遊技盤４の取り付けと同時に両コネクター３２，３３が接続されることになり至便である。
【００２６】
遊技盤固定領域５から遊技盤４を取り外すには、平板部材２４を固定部材１８側へ少し傾けた状態で、固定部材１８の中間板１８ｂの先端に設けられた摘み３４を持って押圧板部２９を前側へ回動させる。これによって、平板部材２４の軸着部２８における直線縁面３１ｂから弧状縁面３１ａへの移行がスムーズになり、平板部材２４と直線端面３１ｂとが外れ、同時に図５（ハ）鎖線に示すように今度は作用板部３０が遊技盤４の裏面下端に当接して遊技盤４を前側へ押し出す。これに伴い、前記遊技盤４側のコネクター３２と遊技盤固定領域５側のコネクター３３も自動的に外される。この状態で、遊技盤４を引っ張り挟着部１４ａから遊技盤４の一側を抜く。このようにして遊技盤４が取り外せる。
【００２７】
以上のように本発明は、遊技機本体３前面の遊技盤固定領域５にその前側から遊技盤４を配置し、遊技盤固定領域５の一側の挟着部１４ａに遊技盤４の一側を挿入すると共に該遊技盤４の他側をそのまま遊技盤固定領域５の他側前面に押し付けることにより、作用板部３０が押されつつ固定部材１８が回動し押圧板部２９が遊技盤４の前面を押圧する。しかも、この押圧状態では、軸杆２２に外嵌した水平板部２４が固定部材１８の軸着部２８の外周縁における直線縁部３１ｂを押圧して固定部材１８を保持する。これにより、遊技盤４の取付作業がワンタッチ式に簡単に行なえ、しかも、その作業性が良い。また、取着具１５を遊技盤固定領域５に固着するのみで済み、制作上の手間を極力省くことができ、製作コストも低廉になし得る。
【００２８】
また、軸杆２２の外周面に前記平板部材２４の近傍に位置させて複数の環状溝２６を刻設するようにしているので、固定部材１８が回動動作することにより弾発手段に抗して平板部材２４に力が加えられ、該軸杆２２に対して傾斜した状態で平板部材２４が該軸杆２２に沿って無用にずれる危険性があるとしても、平板部材２４に開設され軸杆２２が挿通される軸孔２３の周縁角部２３ａが前記いずれかの環状溝２６に係合してそのずれ動作を邪魔する。よって、平板部材２４が軸杆２２に沿って無用にずれることが防止される。
【００２９】
更に、遊技盤４裏面の所定位置に電気的な接続部としてのコネクター３２を設け、遊技機本体３の遊技盤固定領域５に前記コネクター３２と対向位置するようにして該コネクター３２と接続できるコネクター３３を取り付けるようにすれば、両コネクター３２，３３が手を煩わすことなく遊技盤４の脱着動作に合わせて自動的に接離できる。よって、例えばそれらコネクター３２，３３を別途作業者が手で接続又は外すという作業が省略されるばかりか安全でもある。
【００３０】
本発明にあっては、取着具１５を遊技盤固定領域５の一側縁上下部にそれぞれ設けるようにしたが、可能であれば下部の一箇所であっても良い。また、各取着具１５を固定部材１８が鉛直面内で回動する向きで固着したが、水平面内で回動する向きで固着するようにしても良い。更に、遊技盤固定領域５の一側に挟着部１４ａを設けることなく、遊技盤４の周囲の４隅部を取着具１５により固定するようにしても良い。更にまた、遊技盤４を遊技盤固定領域５にその後側から固定するようにしても良いことは勿論である。
【図面の簡単な説明】
【００３１】
【図１】本発明に係るパチンコ遊技機であって透明板保持枠を開いた状態の斜視図。
【図２】同遊技盤を外した状態の斜視図。
【図３】同本体枠の平面断面図。
【図４】（イ）は取着具の正面図、（ロ）は図４（イ）のＸ−Ｘ線断面図、（ハ）は軸杆の拡大斜視図。
【図５】（イ）（ロ）（ハ）は取着具の作用を示す要部の側面断面図。
【符号の説明】
【００３２】
３              遊技機本体
４              遊技盤
５              遊技盤固定領域
１４ａ          挟着部
１５            取着具
１７            支持部材
１８            固定部材
２２            軸杆
２４            平板部材
２５            弾発手段（圧縮スプリング）
２６            環状溝
２８            軸着部
２９            押圧板部
３０            作用板部
３１ａ          弧状縁面
３１ｂ          直線縁面
Ｐ              遊技機（パチンコ遊技機）
【図１】
2010099310.tif 000003
【図２】
2010099310.tif 000004
【図３】
2010099310.tif 000005
【図４】
2010099310.tif 000006
【図５】
2010099310.tif 000007